(57)【要約】【課題】  クッションが正規の位置から容易に移動したり、使用者がクッション上を滑ることがなく、また、水に濡れたり汚れが付着した場合であっても、手入れが簡単に行えて清潔を維持でき、かつ耐久性に優れたクッションを提供すること。【解決手段】  クッション材１０を被覆するカバー２０の表面を、オレフィン系樹脂の発泡シート３０を備え、この発泡シート３０に凹凸面３３を設けてクッション１００を形成する。【選択図】  図１
0003107165.tif 000002
【実用新案登録請求の範囲】
【請求項１】
クッション材と、該クッション材を被覆するカバーとからなるクッションであって、
前記カバーは、表面にオレフィン系樹脂の発泡シートを有しており、該発泡シートには凹凸面が形成されていることを特徴とするクッション。
【請求項２】
発泡シートは、抗菌加工されていることを特徴とする請求項１に記載のクッション。
【考案の詳細な説明】
【技術分野】
【０００１】
本考案は、床、椅子、車椅子及び車両、船舶等の座席で使用する座布団、枕、マットレス、敷きふとん等として使用されるクッションに関するものであり、さらに詳しくは、使用中にクッションが正規の位置から移動したり、使用者の体がクッション上を滑ることを防止し、かつ撥水性を有するクッションに関するものである。
【背景技術】
【０００２】
一般に、クッションは、繊維、発泡ウレタン等を成型してなるクッション材をカバーで覆って作製されている。カバーは、不織布等の布を用いて作製したものや、ポリ塩化ビニル樹脂からなるシート材より作製したものを例示することができる。
【０００３】
ところが、布製のカバーを有するクッションは、水に濡れたり汚れが付着したときに、水分や汚れがクッションの内部にまで浸み込んでしまうという問題があった。このため、例えば、老人や幼児が就寝中にクッションを臀部や腰に当てて使用しているときに失禁した場合や、食事の際に食べ物や飲料をクッション上にこぼした場合には、手入れが非常に煩雑になっていたとともに、不衛生となっていた。
【０００４】
そこで、水分が汚れがクッション内部に容易に浸み込まないように、表面に撥水加工を施した布製のカバーを有するクッションが提案されている。しかし、撥水加工を施した布製のカバーは、洗濯やクリーニングを繰り返すにつれて、その撥水性が低下してしまい、初期の撥水効果を継続して得ることができなかった。
【０００５】
一方、ポリ塩化ビニル樹脂のシート材から作製されるカバーで被覆したクッションは、カバーが撥水性を有するため、水に濡れたり汚れたりした場合でも、簡単に拭き取るだけで手入れができる点において、上記布製カバーで被覆したクッションよりも優れている。しかしながら、ポリ塩化ビニル樹脂製のカバーは、表面が非常に滑りやすく、使用中にクッションが正規の位置から容易に移動したり、あるいは使用者の体がクッション上を滑ってしまい使用位置が安定しないという問題があった。特に、車椅子の座面に置いて座布団として使用する場合においては、使用者が着座や移動の際に、臀部が座面上を滑って車椅子から落ちるという危険性があった。また、塩化ビニル樹脂製のカバーは、水に濡れると余計に滑りやすくなるため、例えば、雨天時に車椅子で屋外を移動するとき等の場合には特に危険であった。
【０００６】
また、ポリ塩化ビニル樹脂製のカバーは、耐久性が低く、経年劣化により可塑剤が溶出し、さらに溶出した可塑剤がクッション材の劣化をもたらすといった問題もあった。
【考案の開示】
【考案が解決しようとする課題】
【０００７】
そこで、本考案は、クッションが正規の位置から容易に移動したり、使用者がクッション上を滑ることがなく、また、水に濡れたり汚れが付着した場合であっても、手入れが簡単に行えて清潔を維持でき、かつ耐久性に優れたクッションを提供することを課題とするものである。
【課題を解決するための手段】
【０００８】
上記課題を解決するために、請求項１に記載した考案が採った手段は、クッション材１０と、クッション材１０を被覆するカバー２０とからなるクッション１００であって、カバー２０は、表面にオレフィン系樹脂の発泡シート３０を有しており、発泡シート３０には凹凸面３３が形成されていることを特徴とするクッション１００である。
【０００９】
クッション材１０を被覆するカバー２０の表面を、凹凸面３２が形成されたオレフィン系樹脂からなる発泡シート３０より形成することで、カバー２０に撥水性及び滑り防止機能を備えることができる。
【００１０】
カバー２０に撥水性を備えることにより、カバー２０が水に濡れたり汚れが付着した場合であっても、クッション１００の内部まで水や汚れが浸み込むことがないので、手入れが簡単に行えるとともに、クッション１００を清潔に保つことができるようになる。また、優れた滑り防止機能を備えることにより、クッション１００が正規の位置から容易に移動したり、使用者の体がクッション１００上を滑ったりすることを防止することができる。
【００１１】
さらに、繰り返し洗濯やクリーニングをしても、撥水性及び滑り防止機能が低下することがなく耐久性に優れるので、初期の効果を維持したまま長期間にわたって使用することができる。
【００１２】
尚、本考案における「クッション」とは、床、椅子、車椅子及び車両等の座席に着座する際に使用する座布団の他、枕、マットレス、敷きふとん等として使用されるクッション全般をいうものである。
【００１３】
また、請求項２に記載した考案が採った手段は、発泡シート３０は、抗菌加工されていることを特徴とする請求項１に記載のクッション１００ある。
【００１４】
発泡シート３０に抗菌加工を施すことにより、カバー２０の表面に雑菌が繁殖することを抑制できるので、清潔な状態に保つことができる。
【考案の効果】
【００１５】
請求項１に記載のクッションによれば、クッション材を被覆するカバーの表面を、オレフィン系樹脂の発泡シートより形成するとともに、発泡シートに凹凸面を形成したことにより、優れた滑り止め効果を奏する。これにより、使用中にクッションが正規の位置から移動したり、使用者がクッション上を滑ったりすることがなく、安定した位置で使用することができる。
【００１６】
また、撥水性を備えるので、クッションの表面が水に濡れたり汚れが付着したした場合であっても、簡単に拭き取るだけで手入れができるとともに、水分や汚れがクッション内部にまで浸み込まないのでクッション材を傷めることがなく、かつ衛生的である。さらに、カバーが発泡シートより作製されるので、耐久性に優れ、繰り返し洗濯若しくはクリーニングを行っても初期の滑り防止効果を維持した状態で長期間にわたって使用することができる。
【００１７】
請求項２に記載のクッションによれば、請求項１に記載のクッションの効果に加えて、クッションカバーに抗菌加工を施しているので、クッション表面に雑菌が繁殖することを防止することができ、より清潔な状態で使用することができる。
【考案を実施するための最良の形態】
【００１８】
本考案は、クッション材と、このクッション材を被覆するカバーとからなるクッションであって、カバーの表面にオレフィン系樹脂の発泡シートを有し、この発泡シートの表面に凹凸面を形成したことを特徴とするクッションである。
【００１９】
本考案に係るクッションは、その形状、大きさ等は特に限定されるものではなく、用途に応じて設定することができる。例えば、座布団として使用されるものであれば、椅子の座面の面積や形状に応じて四角形や円形、ドーナツ型に形成することができるし、枕として使用するものであれば、円柱形、角柱形等に形成することができる。
【００２０】
クッション材は、特に限定されるものではなく、公知のクッション材を用いることができる。例えば、ポリエステル、ポリアミド、アクリル、ポリプロピレン、ポリエチレン等の合成繊維や、羊毛、木綿、麻等の天然繊維、あるいはウレタン等の樹脂発泡体を所定形状に成形したものを用いることができる。
【００２１】
カバーは、上記クッション材を被覆するものであり、表面にオレフィン系樹脂の発泡シートを有して形成される。カバーの表面にオレフィン系樹脂の発泡シートを設けることにより、カバーに撥水性を備えることができるとともに、優れた滑り止め機能を備えることができる。発泡シートを形成するオレフィン系樹脂としては、ポリエチレン、ポリプロピレン、エチレン酢酸ビニル等を例示することができる。カバーの形態としては、開口部を設けた袋状に形成し、その開口部からクッション材を袋内に収納し、開口部をファスナーで封止して被覆するものや、無端若しくは有端の帯状に形成して、クッション材を巻回するもの等が例示できるが、クッション材を被覆可能なものであれば、その形態は特に限定されるものではない。
【００２２】
また、発泡シートの表面には凹凸面が形成される。表面に凹凸面が形成されることにより、カバーの表面の密着性が高まって、より優れた滑り止め機能を奏することができるようになる。凹凸面は、オレフィン系樹脂をシート状に発泡成型する際に、図形、模様、文字等を型押しして形成するなどの公知の技術を用いて行うことができる。
【００２３】
さらに、発泡シートは、抗菌加工を施してもよい。発泡シートに抗菌加工を施すことにより、カバーの表面にブドウ球菌や大腸菌といった雑菌の繁殖を抑制することができるので、衛生面により優れたクッションとすることができる。抗菌加工の方法としては、例えば、銀、亜鉛、銅等の金属イオン系抗菌剤や、有機シリコン、キトサン等の有機系抗菌剤等の公知の抗菌剤を予めオレフィン系樹脂原料と混合しておき、これをシート状に発泡成形することや、成型後の発泡シートの表面に抗菌剤をコーティングすること等が挙げられる。
【実施例】
【００２４】
以下、本考案の詳細について図に基づいて説明する。
【００２５】
図１には、本実施例に係るクッション１００を示しており、図２には、本実施例に係るクッション１００の一部を切り開いた状態を示している。また、図３には、本実施例に係るクッション１００を構成するカバー２０を示している。
【００２６】
本考案に係るクッション１００は、車椅子、椅子、車両の座席等の座面に敷いて用いることに適した四角形のクッション１００であり、低反発性ウレタンフォームからなるクッション材１０と、このクッション材１０を被覆するカバー２０とを有する。
【００２７】
カバー２０は、内部にクッション材１０を収納して、その全体を被覆することができる袋状に形成されているとともに、その一辺には開口部２１が形成されている。カバー２０は、クッション材１０の面積よりもやや大きめに裁断した２枚の発泡シート３０、３０の周縁同士を縫合して形成される。開口部２１には、スライドファスナー２２が取り付けられて開閉自在に形成されており、クッション材１０の収納、取り出しを容易に行えるようにしている。
【００２８】
カバー２０を構成する発泡シート３０は、図４に示すように、薄手のメリヤス布地からなりカバー２０の内側表面をなす基層３１と、銀イオン系抗菌剤を混練したオレフィン系樹脂の発泡体からなりカバー２０の外側表面をなす発泡体層３２との２層構造になっている。発泡シート３０は、発泡体層３２を備えることにより、優れた撥水性と高摩擦性とを有するとともに、抗菌性を有する。
【００２９】
また、発泡体層３２には、メッシュ柄の凹凸面３３が施されている。この凹凸面により、カバー２０の表面の密着性が向上し、発泡体層３２の高摩擦性と相俟って優れた滑り防止機能を奏することができる。
【００３０】
図５には、本実施例に係るクッション１００の使用形態の一例として、クッション１００を車椅子２００の座面に敷いて使用したときの状態を示している。
【００３１】
本実施例に係るクッション１００は、上記したようにカバー２０の表面が優れた滑り防止機能を有している。これにより、図４に示すようにクッション１００を座面上に敷いて用いたときには、クッション１００の下表面１００ａが車椅子の座面２０１に密着して、クッション１００が滑って正規の位置より移動することを防止している。一方、クッション１００の上表面１００ｂは、クッション１００上に着座する使用者の体と密着して、使用者の体がクッション１００上を滑ることを防止している。このため、使用者が着座する際や着座中にクッション１００が正規の位置からずれたりすることがなく、また、移動中の車椅子を急停止させたときなどに、使用者がクッション上を滑って車椅子から落下することを防止できる。
【００３２】
さらに、本実施例に係るクッション１００は、カバー２０を構成する発泡シートが撥水性を有するので、クッション１００が水に濡れたときや汚れが付着したときに、水分又は汚れがクッション１００の内部のクッション材１０にまで浸み込むことがない。このため、クッション材１０を傷めることがないとともに、水分又は汚れを布等で拭き取るだけでよいので、手入れが非常に簡単である。また、カバー２０を繰り返し洗濯又はクリーニングしても、撥水性及び滑り防止機能が低下することがなく耐久性に優れるので、初期の撥水効果と滑り防止効果とを維持した状態で長期間使用することができる。
【産業の利用可能性】
【００３３】
本考案は、床、椅子、車椅子及び車両、船舶等の座席で使用する座布団、枕、マットレス、敷きふとん等として適用できる。
【図面の簡単な説明】
【００３４】
【図１】実施例に係るクッションの斜視図である。
【図２】実施例に係るクッションの一部を切り開いた状態を示す斜視図である。
【図３】実施例に係るクッションのカバーの斜視図である。
【図４】実施例に係るクッションのカバーを構成する発泡シートの断面図である。
【図５】実施例に係るクッションを車椅子で使用した状態を説明する側面図である。
【符号の説明】
【００３５】
１０  クッション材
２０  カバー
３０  発泡シート
３３  凹凸面
１００  クッション
【図１】
0003107165.tif 000003
【図２】
0003107165.tif 000004
【図３】
0003107165.tif 000005
【図４】
0003107165.tif 000006
【図５】
0003107165.tif 000007